(57)【要約】選択された挿入するファイルはスライドファイルであるかどうかが判断され、ファイルがスライドファイルである場合、前記スライドファイルのファイルタイプをセットし、前記スライドファイルのファイル名と、ファイルパスと、ファイルタイプ及びファイルラベル配列を抽出して、メモリにセーブする。このメモリ内において、前記ファイルラベル配列は、ユーザが選択した前記スライドファイルの中のスライドのラベルを順番に記録する。前記ファイル名、ファイルパス、ファイルタイプ及びファイルラベル配列の中の第１のラベルに従って、スライドオブジェクトは作成され、そのスライドオブジェクトをドキュメントの中のカーソル位置に挿入することを含むドキュメントにスライドを挿入する方法。なお、本発明は、ドキュメントの中でスライドを再生する方法を公開した。【選択図】図1
2009520285.tif 000002
【特許請求の範囲】
【請求項１】
ドキュメントにスライドファイルを挿入する時、前記スライドファイルのファイルタイプをセットするステップ11と、
前記スライドファイルのファイル名とファイルパスとファイルタイプ及びファイルラベル配列を抽出してメモリにセーブし、前記メモリ中の前記スライドファイルの中の選択されたスライドのラベルを順番に記録するステップ12と、
前記ファイル名、ファイルパス、ファイルタイプ及びファイルラベル配列の中のラベルに従って、スライドオブジェクトを作成し、前記スライドオブジェクトをドキュメントの中のカーソルの位置に挿入するステップ13を含むことを特徴とするドキュメントにスライドを挿入する方法。
【請求項２】
前記ステップ11において、前記ドキュメントにスライドファイルを挿入する方式が、ペースト、ハイパーリンクペースト、或いは挿入方式を採用してドキュメントにスライドファイルを挿入することであることを特徴とする請求項１記載のドキュメントにスライドを挿入する方法。
【請求項３】
前記ステップ11において、前記スライドファイルのファイルタイプをセットする段階は、
前記スライドファイルが同じアプリケーションプログラムで生成されたデータであるか否かを判断するステップ111と、
前記スライドファイルのファイルタイプを同じアプリケーションプログラムで生成されたスライドファイルとしてセットして、前記ステップ13を実行するステップ112と、
前記スライドファイルを解析し、前記スライドファイルが合法的であるか否かを判断するステップ113と、
前記スライドファイルのファイルタイプが、他のアプリケーションプログラムで生成されたスライドファイルとしてセットするステップ114を備え、
前記ステップ111において、スライドファイルが同じアプリケーションプログラムで生成されたデータであると判断された場合、前記ステップ112を実行し、スライドファイルが同じアプリケーションプログラムで生成されたデータではないと判断された場合、前記ステップ113を実行し、
前記ステップ113において、前記スライドファイルが合法的であると判断された場合、ステップ124を実行し、前記スライドファイルが合法的ではないと判断された場合、ステップ15を実行することを特徴とする請求項１のドキュメントにスライドを挿入する方法。
【請求項４】
ユーザが挿入した再生するスライドの情報に従って、スライドオブジェクトがラベル付けしたスライドファイルのファイル名、ファイルパス、ファイルタイプ及びファイルラベル配列データがメモリに存在しているか否かを調べるステップ21と、
前記スライドオブジェクトのファイルタイプによって、前記スライドオブジェクトが同じアプリケーションプログラムで生成されたデータであるか否かを判断するステップ22と、
前記スライドオブジェクトのファイル名、ファイルパス及びファイルラベル配列によって、ハードディスクから前記スライドファイルのファイル名、ファイルパス、ファイルタイプ及びファイルラベル配列データを読み取り、前記データを前記メモリにセーブして、ステップ25を実行するステップ23と、
前記スライドオブジェクトのファイル名、ファイルパス及びファイルラベル配列によって、ハードディスクから前記スライドファイルのファイル名、ファイルパス、ファイルタイプ及びファイルラベル配列データを読み取り、前記データを解析して、本アプリケーションプログラムに対応するデータに変換し、更に、前記対応するデータをメモリにセーブするステップ24と、
前記スライドファイルのファイル名、ファイルパス及びファイルラベル配列データをメモリから読み取り、前記データに従って、スライドファイルを再生するステップ35を備え、
前記ステップ21において、これらのデータがメモリに存在していない場合、ステップ22を実行し、これらのデータがメモリに存在する場合、ステップ25の実行に移り、
前記ステップ22において、前記スライドオブジェクトが同じアプリケーションプログラムで生成されたデータである場合、ステップ23を実行し、前記スライドオブジェクトが同じアプリケーションプログラムで生成されたデータではない場合、ステップ24の実行に移ることを特徴とする上記請求項1から3のいずれかに記載の方法を用いてドキュメント中に挿入されたスライドを再生する方法。
【請求項５】
前記ステップ25は、
前記スライドの再生領域を判断し、前記再生領域内のデータをクリアし、放映プラットフォームのコンポーネントをロードするステップ251と、
前記ファイル名、ファイルパス及びファイルラベル配列データに基づく前記ファイルラベル配列の中のラベルの順番に従って、各ラベルに対応するスライドを連続的に獲得し、前記スライドを再生するステップ252を有することを特徴とする請求項４記載のスライドを再生する方法。
【請求項６】
前記ステップ252において、前記スライドを再生する段階は、
一つのラベルに対応するスライドの再生が終わった時、前記ラベルが配列内の最後のラベルデータであるか否かを判断し、前記ラベルが配列内の最後のラベルデータではない場合、次のラベルデータに対応するスライドを獲得して再生し、前記ラベルが配列内の最後のラベルデータである場合、循環的にスライドファイル内のスライドを再生する要求があるか否かを判断し、循環的にスライドファイル内のスライドを再生する要求がある場合、前記スライドファイルラベル配列内の第１のラベルデータに対応するスライドを獲得して再生し、循環的にスライドファイル内のスライドを再生する要求がない場合終了する段階を含むことを特徴とする請求項５記載のスライドを再生する方法。
【請求項７】
前記ステップ252において、前記スライドを再生する段階は、
別のデータを再生するか否かを判断し、別のデータを再生する場合、前記別のデータを呼び出して再生し、別のデータを再生しない場合、前記別のデータを再生するフローを終了する段階を含むことを特徴とする請求項５記載のスライドを再生する方法。
【請求項８】
前記ステップ252において、前記スライドを再生する段階は、
アニメーション情報を再生するか否かを判断し、アニメーション情報を再生する場合、アニメーションエンジンが対応的なアニメーションデータを呼び出して再生し、アニメーション情報を再生しない場合、前記アニメーション情報データを再生するフローを終了することを特徴とする請求項５記載のスライドを再生する方法。
【発明の詳細な説明】
【技術分野】
【０００１】
本発明は、ドキュメント中にスライドを挿入及びドキュメント中でスライドを再生（放送）する方法に関し、特に、ドキュメントにスライド再生特性を備えて、直接ドキュメント中で再生されるスライドを挿入する方法、及びドキュメント中に挿入されるスライドを再生する方法に関する。
【背景技術】
【０００２】
ユーザの日常の作業、研究及び技術のやり取りにおいて、鮮明、便利且つ体系的なファイルの説明及び再生のために、常に、スライドはドキュメントに挿入される。例えば、教師がドキュメントを使って学生に授業をする時、説明した内容を学生達がよく理解し把握できるように、予め作ったスライドをドキュメントに挿入することが常に必要となる。
【０００３】
従来の技術において、ユーザは、コピー/ペースト及びハイパーリンクをペーストする二つの方式だけで、ドキュメントに同じアプリケーションプログラムで作成したスライドを挿入することができる。例えばそのスライドは、マイクロソフトの「Office」のスライドソフトウエアなどの同じスイート（suite）ソフトウエアで作成したものである。しかし、ドキュメントに他のアプリケーションプログラム中のスライドソフトウエアで作ったスライドを挿入することはできない。例えば、マイクロソフトの「Office」の中の「Ｗord」ドキュメントに、マイクロソフトの「Office」の中のスライドソフトウエアで作成されていないスライドを挿入することができない。さらに、ドキュメントに同じアプリケーションプログラムの中のスライドソフトウエアで作成したスライドを挿入する場合、以下のような重大な欠点及び不備が存在する。
1：挿入されたスライドの形式は比較的単純である。スライドの内容は、ドキュメントの内部のみに静的に表示される。またそのスライドの内容は、アニメーション効果、サウンド効果等のスライドの再生特性を備えていない。したがって再生されたドキュメントは鮮明な効果を達成することができないので、スライドを再生する効用は実際には実現されない。
2：従来技術において、挿入されたスライドは、ドキュメント中で直接再生されることができない。マウス及び/又はキーボードの操作を通じてスライドプログラムに切り替えることによってのみ、スライドはフルスクリーンの状態で再生されることが可能である（例えば、マイクロソフトの「Word」に挿入されたスライドを再生しようとする場合、「PowerPoint」プログラムに切り替えなければならない）。しかも、フルスクリーンの状態でスライドを再生する時、ユーザはドキュメント中の他の部分の内容を見ることができない。したがって、ユーザは多大な不便をもたらされることになる。
3：スライドの再生終了後では、ドキュメント中のそのスライドの以外の部分を見る必要がある場合、対応する操作を行って、ワープロソフトに切り換えなければならない。このような切り替え操作を繰り返すことにより、再生フローが極めて複雑になってくる。一つのドキュメントに挿入されたスライドが多い場合、再生フローはより複雑になる。しかも、フルスクリーンの状態でスライドを再生する時、スライドを再生する順番を変更しようとすれば、現在のスライドを再生し終えた後で、次に再生しようとするスライドが選択されることになる。このため操作が複雑になり、必要とされる時間が長くなる。つまり、ユーザの時間の浪費、ユーザの作業効率への影響、及びユーザに多大な不便をもたらすことになる。
【発明の開示】
【発明が解決しようとする課題】
【０００４】
本発明の第１の目的は、従来技術でドキュメントに挿入したスライドを直接再生することができない、及び、スライドの再生特性を備えていないという欠点に鑑みて、ドキュメントにスライドを挿入する方法を提供することである。これにより、ドキュメントに挿入されたスライドが、スライドの再生特性を備えて直接再生されることができるようにする。
【０００５】
本発明の第２の目的は、従来技術で、ドキュメント中でスライドの再生特性を用いて直接スライドを再生できない欠点に鑑みて、ドキュメントにスライドを再生する方法を提供することである。これにより、スライドの再生特性に従ってドキュメントに挿入されたスライドを直接再生されることができるようにする。
【課題を解決するための手段】
【０００６】
上述の第１の目的を達成するために、本発明はドキュメントにスライドを挿入する方法を提供し、以下のステップを実行する。
ステップ11：ドキュメントにスライドファイルを挿入する時、スライドファイルのファイルタイプをセットする。
ステップ12：スライドファイルのファイル名、ファイルパス、ファイルタイプ及びファイルラベル配列を抽出して、メモリにセーブする。このメモリには、スライドファイルの中の選択されたスライドのラベルが順番に記録されている。
ステップ13：ファイル名、ファイルパス、ファイルタイプ及びファイルラベル配列の中のラベルに従って、スライドオブジェクトを作成し、スライドオブジェクトをドキュメント中のカーソルの位置に挿入する。
【０００７】
上述の第２の目的を達成するために、本発明はドキュメントに挿し込まれたスライドを再生する方法を提供し、以下のステップを実行する。
ステップ21：ユーザが挿入した再生するスライドの情報に従って、スライドオブジェクトによりラベル付けされたスライドファイルのファイル名、ファイルパス、ファイルタイプ及びファイルラベル配列データがメモリに存在するか否かを調べる。このデータがメモリに存在しない場合、ステップ22を実行する。このデータがメモリに存在する場合、ステップ25の実行に移る。
ステップ22：スライドオブジェクトのファイルタイプによって、スライドオブジェクトが同じアプリケーションプログラムで生成されたデータであるか否かを判断する。スライドオブジェクトが同じアプリケーションプログラムで生成されたデータである場合、ステップ23を実行する。スライドオブジェクトが同じアプリケーションプログラムで生成されたデータではない場合、ステップ24の実行へ移る。
ステップ23：スライドオブジェクトのファイル名、ファイルパス及びファイルラベル配列に従って、ハードディスクからスライドファイルのファイル名、ファイルパス、ファイルタイプ及びファイルラベル配列データを読み取り、このデータをメモリにセーブして、ステップ25を実行する。
ステップ24：スライドオブジェクトのファイル名、ファイルパス及びファイルラベル配列によって、ハードディスクからスライドファイルのファイル名、ファイルパス、ファイルタイプ及びファイルラベル配列データを読み取る。このデータを解析して、本アプリケーションプログラムに対応するデータに変換する。更に、対応するデータをメモリにセーブする。
ステップ25：スライドファイルのファイル名、ファイルパス及びファイルラベル配列データをメモリから読み取る。このデータに従ってスライドファイルを再生する。
【発明の効果】
【０００８】
上記ワードプロセッシング用ドキュメント中にスライドを挿入する及び再生するのに係る技術方式から分かるように、本発明では、ドキュメントにスライドを挿入する時、スライドファイルのファイル名、ファイルパス、ファイルタイプ及びファイルラベル配列を抽出し、それらをメモリにセーブする。スライドファイルを再生する時、挿入されたスライドオブジェクトを介して、スライドファイルのファイル名、ファイルパス、ファイルタイプ及びファイルラベル配列等の再生する時に必要な関連情報が獲得される。したがって、スライド内容は直接再生することが実現される。スライドのアニメーション、サウンド等の効果の再生特性も実現される。それに操作が簡単で、ユーザのスライドを再生する時間が節約される。これによりユーザの作業効率は高められ、ユーザに対して多大な利便性がもたらされることになる。
【発明を実施するための最良の形態】
【０００９】
以下、図面を参照しつつ、本発明の詳細について説明する。
図1を参照する。図1は、本発明に係るペースト/ハイパーリンクのペースト方式を用いて、ドキュメントにスライドを挿入する具体的なフローチャートであり、以下のステップを実行する。
ステップ11：ユーザが、ペースト或いはハイパーリンクのペースト方式を用いて、ドキュメント内のカーソルが位置するところにスライドデータを挿入する時、ドキュメントのアプリケーションプログラム、即ち、現在のアプリケーションプログラムは、そのスライドデータが同じアプリケーションプログラムで生成されたデータであるか否かを判断する。スライドデータが同じアプリケーションプログラムで生成されたデータである場合、ステップ12を実行する。スライドデータが同じアプリケーションプログラムで生成されたデータではない場合、ステップ15の実行へ移る。
ステップ12：現在のアプリケーションプログラムは、スライドデータが位置するスライドファイルのファイルタイプを、同じアプリケーションプログラムで生成されたスライドファイルとしてセットする。
ステップ13：スライドファイルのファイル名、ファイルパス、ファイルタイプ及びファイルラベル配列等のデータを抽出し、それらのデータをメモリにセーブする。本明細書において、ファイル名は同じドキュメント内の複数のスライドファイルを区別するためのものである。またファイルパスは、スライドファイルがハードディスクにあるパスを記録するためのものである。またファイルタイプは、スライドファイルが同じアプリケーションプログラムで生成されたスライドファイルであるか、或いは他のアプリケーションプログラムで生成されたスライドファイルであるかを記録するためのものである。またファイルラベル配列は、ドキュメント内の特定のスライドを配置するためのものである。この配列の中にはユーザにより順番に選択されたスライドファイル内のスライドのラベルが記録されている。もちろん、スライドファイルの他の情報も、一緒にメモリにセーブすることができる。
ステップ14：ファイル名、ファイルパス、ファイルタイプ及びファイルラベル配列内の第１のラベルによって、スライドオブジェクトは作成される。このスライドオブジェクトは、ドキュメント内のカーソルが位置するところに、ペースト或いはハイパーリンクをペーストする。
ステップ15：終了。
【００１０】
この方法を用いて挿入されたスライドオブジェクトは、スライドプログラムの中のスライドオブジェクトの全特性を有する。例えば、このスライドは、文字周囲の配置への関与、スライドへの文字入力、スライドの大きさの変更等が可能である。したがって、アニメーションやサウンド等のスライドに特有の再生特性を備える。これにより、再生ドキュメントを鮮明にする効果が達成される。しかも、ユーザはスライドを再生する時、スライドアプリケーションプログラムに切り替える必要がなく、直接操作を行うこともできる。このように、スライドに対して操作を行った後、再びドキュメントに切り替える操作を省くことができるので、操作が簡単になり、時間が節約され、ユーザの作業効率は高められた。
【００１１】
リンクペースト方式を通じてスライドを挿入すると、スライドソース内のデータが変化すると共に、ドキュメントに挿入された対応するスライドも、適宜変化する。したがって、ユーザとしてはドキュメント内のスライドデータを修正する必要がなく、直ちにそれをアップデートすることもできる。特に、スライドソースがいくつかのドキュメントに挿入される時、繰り返して同じデータを修正する必要がなくなる。これにより、ユーザの操作はさらに簡略化され、ユーザの時間が節約され、ユーザに対して多大な利便性がもたらされる。
【００１２】
図2を参照する。図2に示すのは本発明に係る挿入方式を用いて、ドキュメントにスライドを挿入する方法の具体的なフローチャートであり、以下のステップを実行する。
ステップ21：ユーザがドキュメント中のカーソルが位置するところにスライドファイルを挿入しようとする時、ドキュメントのアプリケーションプログラム、即ち、現在のアプリケーションプログラムは、そのスライドファイルが同じアプリケーションプログラムで生成されたスライドファイルであるか否かを判断する。スライドファイルが同じアプリケーションプログラムで生成されたスライドファイルである場合、ステップ22を実行する。スライドファイルが同じアプリケーションプログラムで生成されたスライドファイルではない場合、ステップ23の実行へ移る。
ステップ22：現在のアプリケーションプログラムは、ユーザがスライドファイルから特定のスライドを選択するための選択インターフェースをポップアップさせる。ユーザは、スライドファイル内の１以上のスライドを選択して、ステップ25を実行する。
ステップ23：現在のアプリケーションプログラムは、スライドファイルを解析し、このスライドファイルが合法的であるか否かを判断する。合法的である場合、ステップ24を実行し、合法的ではない場合、ステップ27の実行へ移る。
ステップ24：現在のアプリケーションプログラムは、スライドファイルのファイルタイプをセットする。即ち、スライドファイルは、同じアプリケーションプログラムで生成されたスライドファイルであるか、それとも、他のアプリケーションプログラムで生成されたスライドファイルである。
ステップ25：スライドファイルのファイル名、ファイルパス、ファイルタイプ及びファイルラベル配列等のデータを抽出し、それらのデータをメモリにセーブする。本明細書において、ファイル名は同じドキュメント内の複数のスライドファイルを区別するためのものである。またファイルパスは、スライドファイルがハードディスクにあるパスを記録するためのものである。ファイルタイプはスライドファイルが本アプリケーションプログラムで生成されたスライドファイルであるか、それとも他のアプリケーションプログラムで生成されたスライドファイルであるかを記録するためのものである。ファイルラベル配列は、ドキュメント内の特定のスライドに対して位置決めをするためのものであり、この配列の中にはユーザより選択されたスライドファイル内のスライドのラベルが順番に記録されている。もちろん、スライドファイルの他の情報も、一緒にメモリにセーブすることができる。
ステップ26：ファイル名、ファイルパス、ファイルタイプ及びファイルラベル配列内の第１のラベルによって、スライドオブジェクトを作成し、スライドオブジェクトをドキュメント内のカーソルが位置するところに挿入する。
この方法を用いて挿入されたスライドオブジェクトは、スライドプログラムの中のスライドオブジェクトの全特性を有する。例えば、このスライドは、文字周囲の配置への関与、スライドへの文字入力、スライドの大きさの変更等が可能である。したがって、スライドオブジェクトはアニメーションやサウンド等スライドに特有の再生特性を備える。これにより、再生ドキュメントを鮮明にする効果が達成される。しかも、ユーザがスライドを再生する時、スライドアプリケーションプログラムに切り替える必要がなく、直接操作を行うこともできる。このように、スライドに対して操作を行った後、再びドキュメントに切り替える操作を省くことができる。操作が簡単になり、時間が節約され、ユーザの作業効率が高められた。
ステップ27：終了。
【００１３】
図1と図2に示すフローを通じてドキュメントにスライドを挿入した後、スライドのアニメーションやサウンド等の効果の再生特性に従って、スライドを直接再生できる。図3を参照する。図3に示すのは本発明に係る挿入方式を用いてドキュメントにスライドを挿入する具体的なフローチャートであり、以下のステップを実行する。
ステップ31：ユーザがマウス或いはキーボードなどの操作により、再生するドキュメント内のスライドの情報を、現在のアプリケーションプログラムに伝送する時、現在のアプリケーションプログラムは、スライドオブジェクトがラベル付けしたスライドファイルのファイル名、ファイルパス、ファイルタイプ及びファイルラベル配列データがメモリに存在しているか否かを調べる。存在していない場合、ステップ32を実行する。存在している場合、ステップ35の実行に移る。
ステップ32：現在のアプリケーションプログラムは、スライドオブジェクトのファイルタイプによって、スライドオブジェクトが同じアプリケーションプログラムで生成されたデータであるか否かを判断する。スライドオブジェクトが同じアプリケーションプログラムで生成されたデータである場合、ステップ33を実行する。スライドオブジェクトが同じアプリケーションプログラムで生成されたデータではない場合、ステップ34の実行に移る。
ステップ33：現在のアプリケーションプログラムは、スライドオブジェクトのファイル名、ファイルパス及びファイルラベル配列に従って、ハードディスクからスライドファイルのファイル名、ファイルパス、ファイルタイプ及びファイルラベル配列データを読み取り、データをメモリにセーブして、ステップ35を実行する。
ステップ34：現在のアプリケーションプログラムは、スライドオブジェクトのファイル名、ファイルパス及びファイルラベル配列に従って、ハードディスクから、スライドファイルのファイル名、ファイルパス、ファイルタイプ及びファイルラベル配列データを読み取る。またアプリケーションプログラムはデータを解析して、そのデータを本アプリケーションプログラムの対応するデータに変換し、更に、対応するデータをメモリにセーブする。
ステップ35：現在のアプリケーションプログラムはメモリからスライドファイルのファイル名、ファイルパス及びファイルラベル配列データを読み取り、そのデータに従って、スライドファイルを再生する。本明細書において、スライドファイルデータに従って、スライドファイルを再生する具体的な過程は以下の通りである。
ステップ351：現在のアプリケーションプログラムは、ユーザの操作に従って、ユーザが選択したスライドを再生する再生領域を判断する。例えばこの再生領域は、ユーザがドキュメント内のスライドオブジェクトの大きさに従ってスライドを再生するつもりであるか、或いはフルスクリーンの状態でスライドを再生するつもりであるかということにより選択される。現在のアプリケーションプログラムは、指定された再生領域内にあるデータをクリアして、放映プラットフォームのコンポーネントをロードする。
ステップ352：スライドファイルのデータに基づくスライドファイルラベル配列の中のラベルの順番に従って、各ラベルに対応するスライドを連続的に獲得して再生を行う。
ステップ352において、各ラベルに対応するスライドを再生し終えた時、現在のアプリケーションプログラムは、ラベルが、スライドファイルラベルが配列内の最後のラベルデータであるか否かを判断する。スライドファイルラベルが配列内の最後のラベルデータではない場合、次のラベルデータに対応するスライドを獲得して、再生する。スライドファイルラベルが配列内の最後のラベルデータである場合、ユーザの操作によって、循環的にスライドファイル内のスライドを再生する要求があるか否かを判断する。循環的にスライドファイル内のスライドを再生する要求がある場合、スライドファイルラベル配列内の第１のラベルデータに対応するスライドを獲得して、再生する。循環的にスライドファイル内のスライドを再生する要求がない場合、再生フローを終了する。
同時に、ステップ352において、各ラベルに対応するスライドを獲得して再生を行う時、更に、ユーザの操作によって、別のデータを再生するか否かを判断し、別のデータを再生する場合、現在のアプリケーションプログラムは、別のデータを呼び出して再生する。別のデータを再生しない場合、別のデータを再生するフローを終了する。なお、ステップ352において、各ラベルに対応するスライドを獲得して再生を行う時、更に、ユーザの操作に従って、アニメーション情報を再生するか否かを判断する。アニメーション情報を再生する場合、アニメーションエンジンは、対応するアニメーションデータを呼び出して再生する。アニメーション情報を再生しない場合、アニメーション情報データを再生するフローを終了する。
【００１４】
スライドを再生している時は常に、現在のアプリケーションプログラムは、キーボード信号或いはマウス信号の有無を調べる。キーボード信号或いはマウス信号がある場合、キーボード信号或いはマウス信号に従って対応する操作が行われる。例えば、キーボードのESCボタンの信号を検出した時、現在のアプリケーションプログラムは、スライドを再生するフローから省かれる。
スライドファイルのファイル名、ファイルパス及びファイルラベル配列データはメモリから読み取られ、このデータによってスライドファイルは再生される。これは、直接スライドソースを読み取ることに相当する。したがってスライドオブジェクトを再生する時、スライドプログラムはスライドオブジェクトを再生する全特性を備えることになる。スライドは、文字周囲の配置の関与、スライドへの文字入力、スライドの大きさの変更、アニメーションやサウンドなどの効果を備えることができる。これにより、再生されているドキュメントを鮮明にする効果が達成される。しかも、ユーザはスライドを再生する時、スライドアプリケーションプログラムに切り替える必要がなく、直接操作を行うこともできる。このように、スライドに対して操作を行った後、再びドキュメントに切り替える操作は省くことができる。したがって、操作が簡単で、時間が節約され、ユーザの作業効率が高められ、ユーザに対して多大な利便性がもたらされることとなる。
最後に説明すべきものは、上記実施例は本発明に係る技術を説明するだけのものであり、本発明に係る技術案を限定するものではない。上記具体的な実施形態を挙げて、本発明を説明したが、当業者であれば、本発明の技術形態に対して各種態様の修正或いは変更を行うことができ、及びその詳細は添付の請求の範囲に定義される本発明の精神及び範囲を逸脱しない限りにおいては、本発明の技術的範囲に属することは明白である。
【図面の簡単な説明】
【００１５】
【図１】本発明に係るペースト/ハイパーリンクペースト方式を通じてドキュメントにスライドを挿し込む方法のフローチャートである。
【図２】本発明に係る挿入方式を通じてドキュメント中にスライドを挿入する方法のフローチャートである。
【図３】本発明に係るドキュメント中でスライドを再生する方法のフローチャートである。
【図１】
2009520285.tif 000003
【図２】
2009520285.tif 000004
【図３】
2009520285.tif 000005
【手続補正書】
【提出日】平成20年8月29日(2008.8.29)
【手続補正１】
【補正対象書類名】特許請求の範囲
【補正対象項目名】請求項３
【補正方法】変更
【補正の内容】
【請求項３】
前記ステップ11において、前記スライドファイルのファイルタイプをセットする段階は、
前記スライドファイルが同じアプリケーションプログラムで生成されたデータであるか否かを判断するステップ111と、
前記スライドファイルのファイルタイプを同じアプリケーションプログラムで生成されたスライドファイルとしてセットして、前記ステップ12を実行するステップ112と、
前記スライドファイルを解析し、前記スライドファイルが合法的であるか否かを判断するステップ113と、
前記スライドファイルのファイルタイプが、他のアプリケーションプログラムで生成されたスライドファイルとしてセットするステップ114と、
前記スライドファイルを終了するステップ115を備え、
前記ステップ111において、スライドファイルが同じアプリケーションプログラムで生成されたデータであると判断された場合、前記ステップ112を実行し、スライドファイルが同じアプリケーションプログラムで生成されたデータではないと判断された場合、前記ステップ113を実行し、
前記ステップ113において、前記スライドファイルが合法的であると判断された場合、ステップ114を実行し、前記スライドファイルが合法的ではないと判断された場合、ステップ115を実行することを特徴とする請求項１のドキュメントにスライドを挿入する方法。
【手続補正２】
【補正対象書類名】特許請求の範囲
【補正対象項目名】請求項４
【補正方法】変更
【補正の内容】
【請求項４】
ユーザが挿入した再生するスライドの情報に従って、スライドオブジェクトがラベル付けしたスライドファイルのファイル名、ファイルパス、ファイルタイプ及びファイルラベル配列データがメモリに存在しているか否かを調べるステップ21と、
前記スライドオブジェクトのファイルタイプによって、前記スライドオブジェクトが同じアプリケーションプログラムで生成されたデータであるか否かを判断するステップ22と、
前記スライドオブジェクトのファイル名、ファイルパス及びファイルラベル配列によって、ハードディスクから前記スライドファイルのファイル名、ファイルパス、ファイルタイプ及びファイルラベル配列データを読み取り、前記データを前記メモリにセーブするステップ23と、
前記スライドオブジェクトのファイル名、ファイルパス及びファイルラベル配列によって、ハードディスクから前記スライドファイルのファイル名、ファイルパス、ファイルタイプ及びファイルラベル配列データを読み取り、前記データを解析して、本アプリケーションプログラムに対応するデータに変換し、更に、前記対応するデータをメモリにセーブするステップ24と、
前記スライドファイルのファイル名、ファイルパス、ファイルタイプ及びファイルラベル配列データをメモリから読み取り、前記データに従って、スライドファイルを再生するステップ25を備え、
前記ステップ21において、これらのデータがメモリに存在していない場合、ステップ22を実行し、これらのデータがメモリに存在する場合、ステップ25の実行に移り、
前記ステップ22において、前記スライドオブジェクトが同じアプリケーションプログラムで生成されたデータである場合、ステップ23を実行し、前記スライドオブジェクトが同じアプリケーションプログラムで生成されたデータではない場合、ステップ24の実行に移り、前記ステップ２３を実行した後で、ステップ25を実行することを特徴とする上記請求項1から3のいずれかに記載の方法を用いてドキュメント中に挿入されたスライドを再生する方法。
【手続補正３】
【補正対象書類名】明細書
【補正対象項目名】０００１
【補正方法】変更
【補正の内容】
【０００１】
本出願は、同一の出願人により2005年12月20日出願の中国特許出願第200510132635.8号「ドキュメント中にスライドを挿入及びドキュメント中でスライドを再生する方法」の優先権を主張するものであり、参照として本発明に組み込まれるものとする。
本発明は、ドキュメント中にスライドを挿入及びドキュメント中でスライドを再生（放送）する方法に関し、特に、ドキュメントにスライド再生特性を備えて、直接ドキュメント中で再生されるスライドを挿入する方法、及びドキュメント中に挿入されるスライドを再生する方法に関する。
【国際調査報告】
2009520285.tif 000006
2009520285.tif 000007
2009520285.tif 000008
2009520285.tif 000009
2009520285.tif 000010
2009520285.tif 000011